(57)【要約】人、好ましくは幼児の蘇生のための蘇生構成および方法であって、前記蘇生のための構成は、前記人の鼻および口の上にフィットするよう適応されたマスクと、前記マスク内の流量、体積、漏れ、および圧力から選択された少なくとも一つのパラメータをモニタするよう適応されたモニタ構成と、パラメータのうち少なくとも一つの測定を可能にするよう適応されたデジタルモジュールと、を備える。モニタ構成は少なくとも一つのパッシブセンサ構成部品とアクティブセンサ構成部品とを備え、デジタルモジュールは前記マスクの一部として着脱可能に配置されるよう適応され、パッシブセンサ構成部品はマスク内に配置され、アクティブセンサ構成部品はデジタルモジュールに配置される。
2017515634.tif 000002
【特許請求の範囲】
【請求項１】
人、好ましくは幼児の蘇生のための蘇生構成（１）であって、
前記蘇生のための構成は、前記人の鼻および口の上にフィットするよう適応されたマスク（２）と、前記マスク（２）内の流量、体積、漏れ、および圧力から選択された少なくとも一つのパラメータをモニタするよう適応されたモニタ構成と、前記パラメータのうち少なくとも一つの測定を可能にするよう適応されたデジタルモジュール（３）と、を備え、
前記モニタ構成は、少なくとも一つのパッシブセンサ構成部品（６１）とアクティブセンサ構成部品（９５）とを備えた、蘇生構成（１）において、
前記デジタルモジュール（３）は、前記マスク（２）の一部として着脱可能に配置されるよう適応され、前記パッシブセンサ構成部品（６１）は、前記マスク（２）内に配置され、前記アクティブセンサ構成部品（９５）は、前記デジタルモジュール（３）に配置されることを特徴とする、蘇生構成（１）。
【請求項２】
前記デジタルモジュールは、前記マスクの凹部に着脱可能に配置されるよう適応される、請求項１に記載の蘇生構成。
【請求項３】
前記デジタルモジュールは、再利用可能なモジュールであり、前記マスクは、使い捨て可能なマスクである、請求項１または２に記載の蘇生構成。
【請求項４】
前記デジタルモジュールは、磁気係合を介して前記マスクの一部として着脱可能に配置される、請求項１乃至３のいずれかに記載の蘇生構成。
【請求項５】
前記パッシブセンサ構成部品は、前記デジタルモジュールと流体連結するよう適応された第一および第二のセンサ出口を備え、前記パッシブセンサ構成部品は、前記第一および第二のセンサ出口間の圧力差を生み出す構成を備える、請求項１乃至４のいずれか一項に記載の蘇生構成。
【請求項６】
前記デジタルモジュールは、前記マスクを照明するよう適応された照明構成をさらに備える、請求項１乃至５のいずれか一項に記載の蘇生構成。
【請求項７】
前記照明構成は、好ましくは光ファイバまたは導光プラスチックである少なくとも一つの導光材料を備える、請求項６に記載の蘇生構成。
【請求項８】
前記マスクは、前記デジタルモジュールが前記マスクの少なくとも一つの仕様を識別できるようにする識別構成を備える、請求項１乃至７のいずれか一項に記載の蘇生構成。
【請求項９】
前記識別構成は、少なくとも一つのマイクロスイッチまたは無線周波識別タグである、請求項８に記載の蘇生構成。
【請求項１０】
前記デジタルモジュールは、好ましくはメインステーションである少なくとも一つのデジタルユニットと通信するよう適応された無線通信構成を備える、請求項１乃至９のいずれか一項に記載の蘇生構成。
【請求項１１】
前記デジタルモジュールおよび前記デジタルユニットの両方は、低バッテリレベルおよび前記デジタルモジュールと前記デジタルユニットとの間の接続状態を示すよう適応される、請求項１０に記載の蘇生構成。
【請求項１２】
前記デジタルモジュールは、好ましくは前記アクティブセンサ構成部品によって収集されたデータであるデータを記憶するための構成を備える、請求項１乃至１１のいずれか一項に記載の蘇生構成。
【請求項１３】
前記デジタルモジュールは、ディスプレイを備える、請求項１乃至１２のいずれか一項に記載の蘇生構成。
【請求項１４】
前記マスクは、前記デジタルモジュールと係合するよう適応された少なくとも一つの出口に配置されたシール構成を備え、前記シール構成は、前記デジタルモジュールが前記マスクと係合して配置された際に破られて前記マスクと前記デジタルモジュールとの間の流体連結を可能にする、請求項３乃至１３のいずれか一項に記載の蘇生構成。
【請求項１５】
人、好ましくは幼児の蘇生のための構成における方法であって、前記蘇生のための構成は、前記人の鼻および口の上にフィットするよう適応されたマスクと、モニタ構成と、デジタルモジュールと、を備え、前記モニタ構成は、少なくとも一つのパッシブセンサ構成部品とアクティブセンサ構成部品とを備えた方法において、
前記アクティブセンサ構成部品を備える前記デジタルモジュールが、前記パッシブセンサ構成部品を備える前記マスクの一部であり、
前記方法は、
前記パッシブセンサ構成部品と前記アクティブセンサ構成部品との間に流体連結が確立されるステップと、
前記マスク内の流量、漏れ、体積、および圧力のうち少なくとも一つのパラメータがデジタルモジュールによってモニタされるステップと、を備える方法。
【請求項１６】
前記デジタルモジュールは、前記マスクの凹部に着脱可能に配置される、請求項１５に記載の方法。
【請求項１７】
前記デジタルモジュールは再利用可能なモジュールであり、前記マスクは使い捨て可能なマスクである、請求項１５または１６に記載の方法。
【請求項１８】
前記デジタルモジュールは、前記マスクを照明するための照明構成をさらに備え、
前記方法は、
前記アクティブセンサ構成部品からの値が所定の間隔内であるかを判定するステップと、
前記アクティブセンサ構成部品からの前記値が前記所定の間隔外である場合、前記マスクを照明するステップと、をさらに備える、請求項１５乃至１７のいずれか一項に記載の方法。
【発明の詳細な説明】
【技術分野】
【０００１】
本発明は、全体として、人、好ましくは幼児を蘇生するための蘇生構成に関する。
【背景技術】
【０００２】
幼児が出産中、呼吸を始めるのが困難なために介助を要するのは、これまで頻繁に起こってきた状況である。これは特に、子供が早期にまたは正期に生まれる状況であるかに関わらず、出産過程が複雑な場合に起こる。最も一般的な状況の一つは、子供が即時の呼吸介助を必要とすることであり、通常は子供に空気を送るまたは空気をポンプで注入することで行われる。蘇生はまた、その他多くの場合に共通であり、あらゆる人に対してその年齢を問わず行うことが出来る。
【０００３】
従来技術では、医師または看護師などの介護者によって手動で制御される、人を蘇生するための構成を提供することが知られている。介護者は、例えば手動換気手段によって、もしくは気体源に取り付けられたバルブを作動させることによって手動で蘇生される人に流入する気体の量を調節する。手動換気手段は例えば手動ポンプであり、バルブは介護者が気流を調節できるようにする任意の形状のバルブでありうる。人を蘇生する技術は、よって、処置を提供する介護者の特別なスキルを要し、取得するのが難しい。実際の訓練が行われうる状況は、概して患者にとって命にかかわる状況であり、成功または失敗を判定する唯一の手段は患者を観察することによる。この手法、特に患者の観察は、患者が幼児または小さな子供の場合、特に難しいことが分かっている。
【０００４】
蘇生の方法は概して、介護者が、患者の鼻および口の上にフィットするよう適合されたマスクを利用することを備える。介護者はその際、手動で気体、好ましくは酸素の量を調節し、それはマスクを介して人体へと送られる。
【０００５】
病院では現在、そのような状況において、介護者に介助を提供する装置がなく、前述のように、調節のほとんどは介護者の経験に基づいて行われる。介護者は通常、子供の血色が改善したか、心拍数が上昇しているか、もしくは胸が動いているか等の基準から、状況を判断する。これは、子供が十分な酸素を得ているか、量は十分であるか、しかし多すぎないか等、多くのパラメータを未知のままにする。それらのパラメータは、良い結果のために全て重要であり、例えば、気体または空気の量が少なすぎると危険なほどの低酸素レベルをもたらしうるが、必要量を超えるレベルは肺を損傷しうることに留意すべきである。
【０００６】
従来技術は、空気の圧力が人体にポンプで注入されることを示す、いくつかのソリューションを示す。これはいくらかの指針をもたらすが、誤った安全性もまたもたらす。例えば、人が喉に問題があり空気が通ることが出来ない場合、圧力は尚上昇するが、肺には全く、もしくは不十分な量しか達しない。さらに、圧力が正しい間隔内であっても、提供される気体の体積が十分である保証はない。
【０００７】
従来技術では、さらに追加の機能性を提供するいくつかのソリューションが利用可能であり、それらは主に訓練目的で適用され、処置過程の成功または失敗に関する一定の値についての情報を、介護者提供供することができる。しかしながら、そのようなシステムは概して、デッドスペースの増加、情報の正確さに関する不確実性などの多くの欠点ならびに情報の提示における欠点を有する。さらに、そのようなソリューションは全て、センサをディスプレイまたは情報を介護者に対して表示する任意の他の種類の装置に連結するチューブまたはワイヤなどの追加の問題を伴う。実際の状況に関して言えば、このことは、そのようなモニタ装置は通常利用不可または作動不可であるため、介護者は通常その経験のみに頼らねばならないことを意味する。
【０００８】
よって、蘇生マスクのデッドスペースを増やすことなく、そして蘇生構成の操縦性および可動性を減らすことなく蘇生過程をモニタするためのソリューションを提供すること、ならびに成功または失敗を表示するための改良した手段を提供することが有益でありうる。
【発明の概要】
【０００９】
一つの目的は、実質的にデッドスペースを増やすことなく、重要なパラメータをモニタするための手段を備える改良した蘇生構成を提供することである。本発明の他の目的は、蘇生構成へのフィードバックを向上し、よって患者の安全も向上することである。
【００１０】
よって、ソリューションは、人、好ましくは幼児の蘇生のための蘇生構成に関し、前記蘇生のための構成は、前記人の鼻および口の上にフィットするよう適応されたマスクと、前記マスク内の流量、体積、漏れ、および圧力から選択された少なくとも一つのパラメータをモニタするよう適応されたモニタ構成と、前記パラメータのうち少なくとも一つの測定を可能にするよう適応されたデジタルモジュールと、を備える。前記モニタ構成は少なくとも一つのパッシブセンサ構成部品とアクティブセンサ構成部品とを備え、前記デジタルモジュールは前記マスクの一部として着脱可能に配置されるよう適応され、前記パッシブセンサ構成部品は前記マスク内に配置され、前記アクティブセンサ構成部品は前記デジタルモジュールに配置される。
【００１１】
蘇生構成は、人の蘇生に適応され、また病院、救急車、または産科病棟など任意の他の介護提供施設などの多数の異なる場所のうち任意の一つに配置された任意の形態の構成でありうる。蘇生構成が配置される場所の適用エリアおよび条件によって、蘇生構成は異なる構成部品およびデザインを有しうる。
【００１２】
一実施形態では、蘇生構成は病院に配置される定置構成であり、その場合蘇生構成は、電力系統に接続され、および任意でＥｔｈｅｒｎｅｔ、ＷｉＦｉ、Ｂｌｕｅｔｏｏｔｈ（登録商標）、または任意の他の形態の有線または無線ネットワークを介してネットワークにも接続されるメインユニットを備える。蘇生構成はさらに、デジタルモジュールに連結されたマスクを備える。マスクは人の鼻および口の上にフィットするのに適した任意の形態のマスクであればよく、マスクは多くの異なる大きさおよび形状を有しうるとともに異なる材料から形成されると解される。さらに蘇生構成は、患者に気体を供給するための手段を備える。気体は目的に適した任意の形態の気体でありうるが、好ましくは通常の空気、酸素、または圧縮酸素である。設定によって、酸素は気体チューブまたは空気から直接提供されうる。一実施形態では、気体は、手動蘇生器を介して手動で供給され、他の実施形態では、気体は、手動バルブまたはTピース蘇生器に連結された気体チューブによって供給される。さらに他の実施形態では、気体の供給は完全に手動である。
【００１３】
蘇生構成は、ＰＥＥＰ（呼気終末陽圧）バルブなど、当業者には既知である追加の構成部品をさらに備えうる。
【００１４】
蘇生構成はさらに、マスクに入る体積、肺から戻る体積、漏れを確立するための先の二者の間の差、換気率、肺からのコンプライアンスまたは抵抗、および酸素飽和度などの異なるパラメータを測定するよう適応されうる。
【００１５】
圧力は、一実施形態では、最高全圧を示すＰＩＰ（最高気道内圧）および肺の残留圧力を示すＰＥＥＰ（呼気終末陽圧）としてモニタされうる。
【００１６】
前述のように、デジタルモジュールをマスクの一部として着脱可能に配置することによって、多くの利点が達成できる。例えば、一実施形態では、マスクは、複数回使用することを意図されたものであり、よって、マスクは使用毎に洗えることが求められる。同時に、測定を行うために、チューブ、または気体を運ぶよう適応された任意の他の手段を備えるソリューションは、避けるべき対象である不必要な量のデッドスペースを備える。デッドスペースを避けるためには、センサがマスク自体の中に最適に配置されるべきであるが、そのような構成はマスクを洗う際に問題が生じうる。センサが繰り返し何度も洗われると、洗浄手順の間に不利益な環境にさらされるとともに、より頻繁に較正が必要になる。デジタルモジュールをマスクの一部として着脱可能に配置することによって、それらの問題を避けながら、デッドスペースが最小限に抑えられる。さらに他の利点は、チューブの量が減ることで、蘇生構成の使用性および柔軟性が向上することである。
【００１７】
アクティブセンサ構成部品は、圧力センサ、流量センサ、気体センサ、体積センサ、または任意の他の形態のセンサなどの、任意の形態の電気センサ構成部品でありうる。パッシブセンサ構成部品は、電気部品を備えず、よって本質的には実質的に機械的であるセンサの構成部品である。一つの好適な実施形態では、パッシブセンサ部品は、蘇生構成の流路の流れ領域を制限する括れである。
【００１８】
前記蘇生構成の一実施形態では、前記デジタルモジュールは、前記マスクの凹部に着脱可能に配置されるよう適応される。
【００１９】
デジタルモジュールをマスクの凹部内に配置することには、審美的に魅力的な構成である以外に多くの利点がある。マスクは、一つの好適な実施形態では、操作者の手に保持されながら患者の口および鼻に向かって下方に押し付けられる。これは、マスクが操作者の手の中に容易にフィットすれば有益であり、よってデジタルモジュールがマスクの全体のデザインに出来る限り調和できれば有利であることを意味する。これは、マスクの凹部にデジタルモジュールが配置されることによって達成される。さらに、マスクへとつながる、およびマスクからつながる管内ならびにマスク自体のデッドスペースの量は、最小限に抑えられるべきである。デッドスペースは測定の正確さに影響し、よって増えた場合、処置される患者が被るリスクが実際に増える。デジタルモジュールをマスクの凹部内に配置することによって、デジタルモジュールは、従来技術のほとんどのマスクにとってデッドスペースであった空間を占める。
【００２０】
デジタルモジュールをマスクの凹部内に配置すると、センサ連結が凹部内に隠され、よって通常動作中に操作者がアクセスできないため、任意のチューブまたはセンサケーブルを偶発的に取り外すリスクをさらに最小化する。
【００２１】
前記蘇生構成の一実施形態では、前記デジタルモジュールは、磁気係合を介して前記マスクの一部として着脱可能に配置される。
【００２２】
デジタルモジュールは、磁気または機械など異なる係合手段で取り付けられうる。機械は、例えば任意の種類のクリップまたはマスクとデジタルモジュールとの締まり嵌めでありうる。一実施形態では、磁気係合は、以下にさらに説明するように用いられうる。
【００２３】
前記蘇生構成の一実施形態では、前記デジタルモジュールは再利用可能なモジュールであり、前記マスクは使い捨て可能なマスクである。
【００２４】
異なる実施形態では、マスクは使い捨て可能なマスクまたは再利用可能なマスクのいずれかでありうる。再利用可能なマスクは、例えば、上述のように複数回使えるとともに、再利用可能なマスクに設けられるいくつかの利点を伴う洗えるマスクでありうる。本ソリューションはまた、処分される前にのみ一回または数回使用される使い捨て可能なマスクの利点も提供する。使い捨て可能なマスクは、一実施形態では、使用後のマスクの汚染ゆえに、好適である。マスク自体と比較すると、センサ構成部品、特にアクティブセンサ構成部品は著しく高価であるので、そのような構成部品を備えた使い捨て可能なマスクは、多くのエリアで適用するには高価になりすぎる。この問題は、着脱可能なデジタルモジュールによって解決されるとともに、先に開示したデッドスペースが最小限に抑えられる。
【００２５】
前記蘇生構成の一実施形態では、前記パッシブセンサ構成部品は、前記デジタルモジュールと流体連結するよう適応された第一および第二のセンサ出口を備え、前記パッシブセンサ構成部品は、前記第一および第二のセンサ出口間の圧力差を生み出す構成を備える。
【００２６】
加えられうる圧力を測定する多数の方法がある。例えば、流路へのインサートであるチューブが圧力出口の形態で利用される。差圧は、よって流れの中で直接測定することができる。他のソリューションは、回転ホイールまたはリアルタイムで流量を決定できる任意の他の形態の機械的手段などの、流量を決定するための機械的手段を利用することである。好適な実施形態で用いられる他のソリューションは、フローインピーダンスとして機能する括れを流路に導入することである。これは、流量に関するインピーダンスの両側で圧力を低下させ、それによって流量を決定するために使用できる。パッシブセンサ構成部品は、一つの好適な実施形態ではそのような括れである。さらに、当業者は任意の形態のセンサ、アクティブセンサ構成部品、パッシブセンサ構成部品を配置しうると解される。
【００２７】
前記蘇生構成の一実施形態では、前記デジタルモジュールは、前記マスクを照明するよう適応された照明構成をさらに備える。
【００２８】
蘇生過程のモニタ設備の可用性が限られているため、現場で作業する医師は、患者のバイタルサインを分析することによって経過をモニタする自身の能力に頼る。そうすると、医師は通常患者に注意を向けるので、経過についての情報を、患者の近くではない別の場所に位置したディスプレイにのみ表示することは不都合であるとわかった。しかしながら、ディスプレイを患者の近くに配置することは多数の問題を呈し、また、処置方法が例えば突然変わった場合に他の重要なタスクから気が逸れるリスクをもたらす。これは、マスク自体に表示手段を設けることが有益でありうることを示すが、これは、マスク、特に小さな子供や幼児用のマスクが保持される方法ゆえに、挑戦的なタスクである。マスクの大部分は、操作中、しばしば操作者の手に覆われる。このことは、表示ライトおよび同様のものの使用が無効である場合のソリューションを生み出した。マスク全体を照明する手段を提供することによって、表示のためのより効果的な手段が達成される。
【００２９】
蘇生構成の一実施形態では、前記照明構成は、好ましくは光ファイバまたは導光プラスチックである少なくとも一つの導光材料を備える。
【００３０】
照明構成は、前記マスクを照明できる任意の形態の照明構成でありうる。これは、一実施形態では、マスク内に光ファイバを配置して、それが照明することによって達成される。他の実施形態では、マスク内に導光材料が使われ、マスク自体に照明をサポートさせる。照明は、例えば、デジタルモジュールに配置された一つ以上のＬＥＤ（発光ダイオード）によって光力を与えられうる。
【００３１】
蘇生構成の一実施形態では、前記照明構成は、センサによって測定されたパラメータによって、異なる色で光るよう適応される。色は、一つの好適な実施形態では、深刻な漏れなどの問題が発生した場合には赤であり、またはパラメータが所定の値以内であれば緑である。
【００３２】
蘇生構成の一実施形態では、前記照明構成は、パルスまたは明滅するよう適応される。
【００３３】
一実施形態では、現状を操作者に示すために照明構成がマスクを明滅させれば有益である。常に照明されるのではなく明滅する照明構成を作り出すことによって、電力が節約でき、デジタルモジュールのバッテリ寿命が延びる。
【００３４】
蘇生構成の一実施形態では、前記マスクは、前記デジタルモジュールが前記マスクの少なくとも一つの仕様を識別できるようにする識別構成を備える。
【００３５】
当業者は、蘇生に必要なマスクの大きさが、例えば小さな子供と大人とでは変わりうることを理解する。マスクの大きさは、測定される重要なパラメータの結果に影響するパラメータである。これは、デジタルモジュールが、どの種類のマスクが現在取り付けられているかを知ることが有益でありうることを意味し、それは本ソリューションによる構成によって達成できる。デジタルモジュールがマスクの少なくとも一つの仕様を識別できるようにするための構成は、例えば、マスクの大きさを識別する構成でありうる。一実施形態では、これは、デジタルモジュールの底面に配置され、対応するマスクの構成と係合したマイクロスイッチによって達成される。対応する構成は、例えば、マスクがどの大きさかをデジタルモジュールに伝えるバイナリーコードを提供する凸部または凹部でありうる。
【００３６】
他の実施形態では、デジタルモジュールがマスクの少なくとも一つの仕様を識別できるようにするための構成は、デジタルモジュールがマスクの少なくとも一つの特徴をマスクに埋め込まれたタグに基づいて無線で決定できるようにするＲＦＩＤ（無線周波数識別）構成でありうる。
【００３７】
他の実施形態では、デジタルモジュールがマスクの少なくとも一つの仕様を識別できるようにするための構成は、マスクの少なくとも一つの特徴を識別するために異なる個所での磁気係合を可能にする磁気構成でありうる。
【００３８】
蘇生構成の一実施形態では、前記識別構成は、少なくとも一つのマイクロスイッチまたは無線周波識別タグである。
【００３９】
蘇生構成の一実施形態では、前記デジタルモジュールは、好ましくはメインステーションである少なくとも一つのデジタルユニットと通信するよう適応された無線通信構成を備える。
【００４０】
より詳細な情報を表示するために、デジタルモジュールは、一実施形態において少なくとも一つのデジタルユニットと通信するよう適応された無線通信構成をさらに備える。デジタルユニットは、一実施形態ではデジタルモジュールと類似しうるが、他の実施形態では、デジタルユニットは蘇生構成のメインユニットとして機能する基地局である。さらに他の実施形態では、デジタルモジュールは例えば、目的に適応したソフトウェアを伴うタブレットまたはスマートフォンでありうる。
【００４１】
蘇生構成の一実施形態では、前記デジタルモジュールおよび前記デジタルユニットの両方は、低バッテリレベルおよび前記デジタルモジュールと前記デジタルユニットとの間の接続状態を示すよう適応される。
【００４２】
蘇生構成によって提供される情報が常に正確であり、情報が何らかの理由で途絶えるまたは信用できない場合に操作者に直ちに知らされることが重要である。よって、一実施形態では、デジタルモジュールおよびデジタルユニットの両方は、低バッテリレベルを示して、デジタルモジュールが間もなく表示と測定の実行をやめるという警告を操作者に与えるよう適応される。そのような表示は、例えば、マスク照明構成のパルス照明で、音、または、操作者の注意を捕えうる任意の他の形態の表示によって為されうる。
【００４３】
マスクを照明するよう適応された照明構成は、よって、操作者によって異なりうる異なる表示を介して多数の目的のために使われうる。例えば、異なる表示色、および／または照明構成をひらめかせるなどのパルス効果が使われうる。
【００４４】
蘇生構成の一実施形態では、前記デジタルモジュールは、好ましくは前記アクティブセンサ構成部品によって収集されたデータであるデータを記憶するための構成を備える。
【００４５】
いくつかの適応領域では、デジタルモジュールによって収集されたデータを記憶するのが有益である。そのような情報は、一実施形態では、デジタルモジュールに直接記憶され、後の段階で、コンピュータ、デジタルユニット、または情報が記憶または分析されうる任意の他の形態のユニットに送られうる。他の実施形態では、全ての情報は、例えば情報が記憶されるデジタルユニットに無線で直接送られる。
【００４６】
蘇生構成の一実施形態では、前記デジタルモジュールはディスプレイを備える。
【００４７】
一実施形態では、デジタルモジュールはまた、測定からより詳細な値を表示しうるディスプレイを備える。
【００４８】
蘇生構成の一実施形態では、前記マスクは、前記デジタルモジュールと係合するよう適応された少なくとも一つの出口に配置されたシール構成を備え、前記シール構成は、前記デジタルモジュールが前記マスクと係合して配置された際に破られて前記マスクと前記デジタルモジュールとの間の流体連結を可能にする。
【００４９】
マスクが、蘇生構成に配置された再利用可能なマスクである一実施形態では、マスクは気密性であり、デジタルモジュールなしで使用できるよう適応される。しかしながら、デジタルモジュールがパラメータをモニタするためにマスクと係合して配置されると、シール係合はデジタルモジュールによって破られ、パッシブおよびアクティブセンサ部分の間の流体連結を可能にする。
【００５０】
他の態様によれば、人、好ましくは幼児の蘇生のための蘇生構成において、前記蘇生のための構成は、前記人の鼻および口の上にフィットするよう適応されたマスクと、モニタ構成と、デジタルモジュールと、を備え、前記モニタ構成は、少なくとも一つのパッシブセンサ構成部品とアクティブセンサ構成部品とを備え、前記アクティブセンサ構成部品を備える前記デジタルモジュールを、前記パッシブセンサ構成部品を備える前記マスクの一部として着脱可能に配置するステップと、前記パッシブセンサ構成部品と前記アクティブセンサ構成部品との間に流体連結を確立するステップと、前記マスク内の流量、漏れ、体積、および圧力のうち少なくとも一つのパラメータをモニタするステップと、を行う。
【００５１】
蘇生構成の一実施形態では、前記デジタルモジュールは、前記マスクの凹部に着脱可能に配置される。
【００５２】
蘇生構成の一実施形態では、前記デジタルモジュールは再利用可能なモジュールであり、前記マスクは使い捨て可能なマスクである。
【００５３】
蘇生構成の一実施形態では、前記デジタルモジュールは、前記マスクを照明するための照明構成をさらに備え、前記アクティブセンサ構成部品からの値が所定の間隔内であるかを判定するステップと、前記アクティブセンサ構成部品からの前記値が前記所定の間隔外である場合、前記マスクを照明するステップと、をさらに備える。
【００５４】
本ソリューションは、例えば、動作する蘇生構成を作るために多数の部品が継ぎ合わされるという既に存在する教育システムにおいて、従来技術のソリューションを上回る追加の利点をさらに提供する。直径の異なる多数の異なるホースおよびアダプタを取り付けることは、応力下でないと難しいが、患者の命が危うい状況では不可能に近い。さらに、一旦組み立てられると、そのようなソリューションは使用中容易にばらばらになることが分かった。
【００５５】
ここで、付属の図面を参照して、ソリューションが例によって説明される。
【図面の簡単な説明】
【００５６】
【図１】マスクおよびデジタルモジュールを備え、前記マスクの凹部にデジタルモジュールが配置された蘇生構成の好適な実施形態の等角図。
【図２】マスクおよびデジタルモジュールを備え、前記マスクにデジタルモジュールが着脱可能に配置された蘇生構成の第二の実施形態の等角図。
【図３】デジタルモジュールを更に詳細に示す等角図。
【図４】他の実施形態によるデジタルモジュールを更に詳細に示す等角図。
【図５】一実施形態によるデジタルモジュールの底面。
【図６】蘇生構成の一実施形態によるマスクの断面図。
【図７】照明の手段を備える蘇生構成の他の実施形態によるマスクの断面図。
【図８】マスク、ディスプレイ、およびメインユニットを備える、定置使用のための蘇生構成の一実施形態。
【図９】蘇生構成の一実施形態におけるデジタルモジュールの構成部品の模式図。
【発明を実施するための形態】
【００５７】
以下では、本発明の様々な実施形態の詳細な説明が、付属の図面を参照して開示される。本明細書での全ての例は、全体の説明の一部として見られるべきであり、したがって、任意の方法で大まかに組み合わせることが可能である。種々の実施形態および態様の個々の特徴は、蘇生構成の全体の機能に明らかに矛盾しない限り、組み合わせられうるもしくは交換されうる。
【００５８】
図１は、蘇生構成１の実施形態を示しており、蘇生構成１は、人の鼻および口の上にフィットするよう適合されたマスク２、デジタルモジュール３、前記デジタルモジュール３を受容するよう適合された凹部７、および前記マスクから延在し、手動換気装置（図示せず）、気体ボトル（図示せず）、またはマスク７に気体を供給するための任意の他の手段に連結するよう適応されたチューブ８を備える。チューブ８へ管材を連結すると、チューブ８の内側４を前記気体の流路４にする流体連結が造られる。
【００５９】
蘇生構成１のマスク２は、一つの好適な実施形態において、人の鼻および口の上にフィットするよう適合された側である開放側９をさらに備える。マスク２は実質的に中空であり、人の顔に対して係合する際、前記人の鼻および口と流路４との間に流体連結が確立される。
【００６０】
デジタルモジュール３は、前記デジタルモジュール３の頂部側に配置されたＬＥＤなどの一つ以上の表示構成５を、例えばデジタルモジュール３が完全に充電されているかおよび／またはアクティブかどうかを示すために、さらに備えうる。当業者は、本ソリューションの範囲内で、任意の数のＬＥＤがデジタルモジュール３の頂部側に配置されうることを理解する。
【００６１】
マスク２は、好ましくは前記凹部７に配置された、アクティブおよびパッシブセンサ構成部品間を連結するための手段６ａ、６ｂをさらに備える。アクティブおよびパッシブセンサ構成部品間を連結するための手段６ａ、６ｂは、例えば、開口６ａ、６ｂまたは、デジタルモジュール３の開口にフィットするよう適応された延在する管部６ａ、６ｂでありうる。
【００６２】
蘇生構成は、手動換気装置、気体チューブ、連結チューブ、メインユニット、ディスプレイ、または蘇生構成に係る任意の他の部品などの多くの異なる追加の部品を備えうると解される。さらに明確に説明するために、上記で何度も記述した手動換気装置は、例えばＢＶＭまたはＴピースでありうる。フロー蘇生バッグまたはアンブ蘇生バッグを備えることもまたソリューションでありうる。
【００６３】
一実施形態では、蘇生過程を開始する前に、介護者または介護者の介助者は、デジタルモジュール３を充電器または任意の他の形態の保管装置から外し、デジタルモジュール３を、好ましくは凹部７内に、マスク２に係合するように置く。介護者は、デジタルモジュール３がアクティブであることを、表示構成５を目視することで確認し、気体ボトルまたは手動換気装置などの気体源をチューブ８に連結して、流路４を介したガス源とマスク２との間の流体連結を造る。マスク２は、開放側９を患者の顔に向けて患者に置かれ、鼻および口を覆う。蘇生過程が開始される。
【００６４】
蘇生過程中、デジタルモジュール３は、マスク２内の流量、体積、漏れ、および圧力から選択された少なくとも一つのパラメータを、アクティブおよびパッシブセンサ構成部品間を連結するための手段６ａ、６ｂを介してモニタする。少なくとも一つのアクティブセンサ構成部品がデジタルモジュール３内に配置される一方、少なくとも一つのパッシブセンサ構成部品は前記マスク２内、またはより具体的には前記流路４内に配置される。
【００６５】
介護者は、例えばマスク２の照明、音、または外部のディスプレイを目視することによって、過程に関するフィードバックを絶えず受け取る。フィードバックはさらに、一実施形態において、例えば触覚フィードバック、振動、音、または介護者の注意を引くよう適応された任意の形態の他のフィードバックでありうる。
【００６６】
図１は、デジタルモジュール３がどのように蘇生構成のマスク２に取り付けられるかをさらに示す。一実施形態では、デジタルモジュール３は、磁気係合の手段によってマスク２に取り付けられる。これは、マスク２が、マスク２に成形された磁性材料の小さな片、またあるいは大きな一片を備えることによって為される。デジタルモジュール３は、マスク２の磁性材料と係合することによってデジタルモジュール２をマスクに固定するよう適応された、永久磁石などの対応する磁気手段を備える。一実施形態では、磁気手段は逆になり、永久磁石をマスク内に置く。
【００６７】
他の実施形態では、デジタルモジュール３は、代わりにクリップなどの機械的締結手段によって固定される。
【００６８】
さらに他の実施形態では、デジタルモジュール３は、例えばシリコンから作られたマスクとデジタルモジュールの間の緊密な嵌合によって固定される。
【００６９】
図２は、蘇生構成１の他の実施形態を示しており、デジタルモジュール３は、対応する凹部なしでマスク２に取り付けられるよう適応される。マスクは、例えばチューブ８の外周に配置されうる、アクティブおよびパッシブセンサ構成部品間を連結するための手段６ａ、６ｂを備える、
図３は、表示構成５および、マスク２に配置されたアクティブおよびパッシブセンサ構成部品間を連結するための手段６ａ、６ｂと係合して流体連結するよう適応された、アクティブおよびパッシブセンサ構成部品間を連結するための対応する手段３１ａ、３１ｂを備えたデジタルモジュール３を詳細に示す。
【００７０】
図４は、アクティブおよびパッシブセンサ構成部品間を連結するための逆の手段３１ａ、３１ｂを備えたデジタルモジュール３の他の実施形態を示す。それらの手段３１ａ、３１ｂは、やはりマスク２に配置されたアクティブおよびパッシブセンサ構成部品間を連結するための手段６ａ、６ｂと係合するよう適応されるが、メスおよびオスのアダプタは場所を入れ替えている。これは好適な実施形態であり、マスク２の流路４に外部部品が挿入されず、マスク２内の気体が汚染されるリスクを減らすため、有益である。
【００７１】
図５は、通常、使用中マスク２に向けて下向きに配向される底面５３が示された視野からのデジタルモジュール３を示す。一実施形態では、マスク２の少なくとも一つの仕様をデジタルモジュール３が識別できるようにする少なくとも一つの識別構成５１が、底面５３もしくはその近郊に配置される。例えば、好適な実施形態では、多数のマイクロスイッチ５３が配置され、マスク２の対応する凹部もしくは凸部と係合して、マスクの大きさ、マスクの種類、マスクに配置されたパッシブセンサ構成部品の種類、マスクのデッドスペースの量、またはデジタルモジュール２に有益な任意の他の情報などの情報を提供する、情報は、例えば、現在作動しているマイクロスイッチ５１から生成された二進コードの形態でありうる。例えば、三つのマイクロスイッチが底面５３に配置された場合、一実施形態では、マスク２は、例えばマスク２の大きさおよびマスク内に配置されたパッシブセンサ構成部品の種類に対応する二進コード“１０１”を生成する第一および最後のマイクロスイッチ５１に対応する二つの凸部を有する。
【００７２】
他の実施形態では、識別構成５１は、磁気アクチュエータ、ＲＦＩＤタグ、または任意の他の形態の識別構成５１などの、任意の他の形態の識別構成５１である。
【００７３】
図５は、前記マスクを照明するよう適応された照明構成５２を示す。照明構成５２は、例えばデジタルモジュール３の光源によって生成された光をマスク２内へ送ることによって、マスクを照明する。マスクはこれによって、例えば照明性材料を介して、またはマスク２内に配置された光ファイバを介して照明する。
【００７４】
図６は、マスク２の断面を示し、凹部７およびパッシブセンサ構成部品６１を詳細に示す。図６に示した実施形態では、マスク２は流路４内に配置された一つのパッシブセンサ構成部品６１を備える。アクティブおよびパッシブセンサ構成部品間を連結するための手段６ａ、６ｂは、出口６ａ、６ｂとして働き、例えば圧力をデジタルモジュール３内のアクティブ構成部品によって測定されるようにする。
【００７５】
パッシブセンサ構成部品６１は、出口６ａと出口６ｂとの間に配置されたくびれ６２を備え、デジタルモジュール３内のアクティブセンサ構成部品によって測定できる二つの出口６ａ、６ｂ間の圧力差を生み出す。くびれ６２は、狭い孔から、屈曲する細部を備えるより複雑なジオメトリに至る、任意の形態のくびれ６２でありうる。例えば、一実施形態では、薄いプラスチック層がくびれ６２として採用される。薄いプラスチック層は、薄い層が任意の方向に屈曲できるようにする切れ込みを備え、領域の一部を空気が通れるようにする。しかしながら、当業者は、任意の形態のくびれ６２が用いられることを理解する。
【００７６】
他の実施形態では、パッシブセンサ構成部品６１は、他の種類のセンサである。
【００７７】
図７は他の実施形態を示し、マスク２は、マスク２を照明するよう適応された照明構成７１をさらに備える。一実施形態では、照明構成７１は、ＬＥＤまたは任意の他の形態の照明装置などの、マスクを照明する手段を備える。他の実施形態では、照明構成７１は、デジタルモジュール３に位置した光源によって作られた光を配光するために配置される。照明構成７１は、よって、例えばマスク内に配置された光ファイバ、電界発光材料、または導光プラスチックなどの配光材料でありうる。
【００７８】
図８は、例えば病院で定置使用するための蘇生構成の一実施形態を示し、メインユニット８１、ディスプレイ８２、デジタルモジュール３、およびマスク２を備える。メインユニット８１は、少なくとも一つのデジタルモジュール３と通信するよう適応された任意の形態のメインユニット８１でありうる。メインユニット８１は、好適な実施形態では、デジタルモジュール３のドッキングステーションでもあり、無線プロトコルを介して送られない追加のデータを送信する可能性を提供するとともに、デジタルモジュール３を充電する可能性を備える。デジタルモジュール３を充電およびドッキングすることは、一実施形態では、ドッキングステーション８３で行われうる。メインユニット８１は、好ましくは、前記メインユニット８１を電力系統に連結するための電力口８５、および追加のディスプレイの連結部８４をさらに備えうる。連結部８４は、例えば、ＶＧＡ、ＨＤＭＩ（登録商標）、ＤＶＩ、またはディスプレイ８２を取り付けるのに適切な任意の他の形態の連結部でありうる。他の実施形態では、全てのディスプレイ８２は無線であり、さらに他の実施形態では、連結部８４は、例えば心拍数センサなどの追加のセンサを連結するためのものである。
【００７９】
一実施形態では、ディスプレイ８２は、スマートフォンまたはタブレットなどの、メインユニット８１またはデジタルモジュール３によって提供された情報を表示するよう適応された移動ユニットである。
【００８０】
図９は、少なくとも一つのプロセッサ９２またはＣＰＵ９２、メモリ９４、少なくとも一つのアクティブセンサ構成部品９５、および、ＷｉＦｉ、Ｂｌｕｅｔｏｏｔｈ（登録商標）、ＺｉｇＢｅｅ、または任意の他の形態の無線ネットワークなどの少なくとも一つの無線ネットワークまたは通信プロトコルを介して通信するよう適応された無線通信構成９３を備えたデジタルモジュール３の模式図を示す。
【００８１】
一実施形態では、介護者または任意の他の有資格者は、より良いフィードバックを得るために、患者についての情報を入力することができる。例えば、体重は読み取りを改善しうる情報である。
【図１】
2017515634.tif 000003
【図２】
2017515634.tif 000004
【図３】
2017515634.tif 000005
【図４】
2017515634.tif 000006
【図５】
2017515634.tif 000007
【図６】
2017515634.tif 000008
【図７】
2017515634.tif 000009
【図８】
2017515634.tif 000010
【図９】
2017515634.tif 000011
【国際調査報告】
2017515634.tif 000012
2017515634.tif 000013
2017515634.tif 000014
2017515634.tif 000015
2017515634.tif 000016